(57)【要約】 【課題】本発明は、着脱式ホルダー部を有するメジャーに関する発明である。【解決手段】本発明は、凹部５ｇを備え、係止溝５ｂ、５ｃを持つ係止部５と、前記係止部５の係止溝５ｂ、５ｃと勘合し係止部５の上下移動を制御するための突出部ｂ７、７ｂを備えた背当板７及び前記係止部５の凹部５ｇと勘合し係止部５の回転運動を制御する制御突起８ｅを備えたカバー部８と前記背当板７に隣設したバンド掛９からなるホルダー部３とからなることを特徴とする着脱式ホルダー部３の構成及び本体４ａ正面に引出口４ｄ及び巻き取りスイッチ４ｂを設け、内部には先端に引出摘み４ｃを備えた計測目盛を備え、メジャー本体４ａ右側面中央部に前記係止部５を接続したことによって着脱式ホルダー部を有するメジャー１の構成とした。【選択図】  図１
2006162449.tif 000002
【特許請求の範囲】
【請求項１】
凹部を備えた係止溝を持つ係止部と、前記係止部の係止溝と勘合し係止部の上下移動を制御するための突出部を備えた背当板及び前記係止部の凹部と勘合し係止部の回転運動を制御する制御突起を備えたカバー部と、前記背当板に隣設したバンド掛からなるホルダー部とからなることを特徴とする着脱式ホルダー部。
【請求項２】
本体正面に引出口及び巻き取りスイッチを設け、内部には先端に引出摘みを備えた計測目盛を備え、メジャー本体右側面中央部に前記請求項１に記載の係止部を接続したことによって、請求項１に記載の着脱機構を備えたメジャー。
【発明の詳細な説明】
【技術分野】
【０００１】
本発明は、着脱式ホルダー部及びその着脱式ホルダー部を有するメジャーに関する発明である。
【背景技術】
【０００２】
従来のメジャーはズボンのベルトにホルダーを取付け、前記ホルダーの係止溝にメジャーを係止するものであった。
【０００３】
しかしながら、従来のメジャーでは、メジャーとホルダーの係止強度が弱く、ホルダーに係止されたメジャーが簡単に外れてしまい、高所などで作業している時にメジャーが落下することや無くしてしまうことがあった。
【０００４】
また、ホルダーをベルトに取り付ける場合、ホルダーに設けられた孔にベルトを通して取り付けるためホルダーを外す時、わざわざベルトを外さなければならなかったり、ベルトに係止するタイプのホルダーであっても、取付強度が弱く、ホルダーごと外れてしまうことがあった。
【発明の開示】
【発明が解決しようとする課題】
【０００５】
そこで、本発明は、係止強度が強く自然に離脱することが無く、更に僅かな力を加えるだけで容易に離脱することができる着脱式ホルダー部と、その着脱式ホルダー部を利用しベルトと着脱式ホルダー部の付け外しも容易に行えるメジャーを提供することを目的とするものである。
【課題を解決するための手段】
【０００６】
本発明は、上記の課題を解決するために、
凹部５ｇを備え係止溝５ｂ、５ｃを持つ係止部５と、前記係止部５の係止溝５ｂ、５ｃと勘合し係止部５の上下移動を制御するための突出部７ｂ、７ｂを備えた背当板７及び前記係止部５の凹部５ｇと勘合し係止部５の回転運動を制御する制御突起８ｅを備えたカバー部８と、前記背当板７に隣設するバンド掛６とからなることを特徴とする着脱式ホルダー部及び本体４ａ正面に引出口４ｄ及び巻き取りスイッチ４ｂを設け、内部には先端に引出摘み４ｃを備えた計測目盛を備え、メジャー本体４ａ右側面中央部に前記係止部５を接続したことによって着脱式ホルダー部を有するメジャーの構成とした。
【発明の効果】
【０００７】
本発明の着脱式ホルダー部は、係止部の係止溝と着脱式ホルダー部を構成する背当板の突出部の嵌合により係止部が上下移動を制御し、また係止部の凹部と着脱式ホルダー部を構成するカバー部の制御突起により係止部の回転運動を制御するため、係止部が着脱式ホルダー部に嵌着されると自然には外れることがない。
【０００８】
前記着脱式ホルダー部をメジャーに取り付けることで、高所での作業でもメジャーがホルダーから勝手に外れることがないため落下の心配がなく、安心して作業を行うことが出でき、また、高所に限らず通常装着している状態でも勝手に外れることがないため紛失の心配もない。
【０００９】
また、ベルトに取り付ける着脱式ホルダー部３に掛け部を設けたことで、着脱式ホルダー部３とベルトの付け外しの際にズボンからベルトを外す必要がなく、簡単に取り外しを行える。また掛け部には複数の突起が設けられているため様々なベルトに適合し、ベルトから着脱式ホルダー部が勝手に外れてしまうことがないため、安心して作業を行うことが出来る。
【発明を実施するための最良の形態】
【００１０】
着脱式ホルダー部と係止部が勝手に外れてしまうことが無く、更に取り外しをワンタッチで簡単に行えるという目的と、ワンタッチでベルトに取り付けることができ、更に保持強度も強く様々なベルトに適合する着脱式ホルダー部という目的を、メジャー部に係止溝を付け、着脱式ホルダー部に突出部と制御突起及び掛け部を設けることによって実現した。
【実施例１】
【００１１】
図１は本発明である着脱式着脱式ホルダー部を有するメジャーの斜視図である。図１に示すように本発明である着脱式ホルダー部を有するメジャー１は、メジャー部２と着脱式ホルダー部３とからなり、着脱式ホルダー部３にメジャー部２を係止した状態を示している。まず、図２及び図３を使用して前記メジャー部２を説明することとする。
【００１２】
図２は本発明である着脱式ホルダー部を有するメジャーの右側面図、図３は着脱式ホルダー部を有するメジャーの正面図である。図２及び図３に示すように、メジャー部２はメジャー４と係止部５とからなり、前記係止部５はメジャー４の右側面中央部に取り付けられている。
【００１３】
前記メジャー４の本体４ａ正面下には計測目盛を引き出すための引出口４ｄが設けられている。計測目盛の先端には引出摘み４ｃが取り付けられており、前記引出摘み４ｃは引出口４ｄに引っ掛かり計測目盛の全てが本体４ａ内に巻き込まれてしまわないようにするストッパーの役割も果たしている。
【００１４】
また、本体４ａの正面には巻き取りスイッチ４ｂが取り付けられており、本体４ａ正面上を上下にスライドさせることが出来る。通常巻き取りスイッチ４ｂは本体４ａの上部で止まっており、下側にスライドさせることによって引き出した計測目盛を巻き取ることができる。図２に示したように、前記本体４ａの背面には紐４ｅが取り付けられている。
【００１５】
図２及び図３に示すようにメジャー４の右側面中央部には係止部５がネジ５ｄにより取り付けられている。係止部５は略円柱状をしており、側面よりみると３つの径の異なる部分で構成されている。図３に示すように、係止部５の右端にある径の一番大きい部分が係止軸５ａであり、係止部５の左端にある次に径の大きい部分が連結軸５ｆである。
【００１６】
前記係止軸５ａと連結軸５ｆの間に位置し、一番径の小さい部分は溝５ｅである。図２に示すように、前記係止軸５ａの表面には２つの係止溝５ｂ、５ｃが設けられている。前記係止溝５ｂは係止軸５ａの外周面から溝となっており、係止溝５ｃは係止軸５ａの外周面からは溝となっておらず、前記係止溝５ｂの半分くらいの長さの溝である。
【００１７】
次に図４及び図５を使用して前記ホルダー部３を説明することとする。図４は本発明である着脱式ホルダー部を有するメジャーの着脱式ホルダー部の斜視図、図５は着脱式ホルダー部の分解斜視図である。
【００１８】
図４及び図５に示すように、本発明である着脱式ホルダー部を有するメジャー１の着脱式ホルダー部３は、バンド掛６と背当板７とカバー部８とからなる。前記バンド掛６は平行に並んだ複数の突起６ｃ、６ｃ、６ｃを備えた本体６ａと両片が湾曲した掛け部６ｂとからなり、前記掛け部６ｂの一方の湾曲部分６ｆが本体６ａにつながっている。
【００１９】
図５に示すように、掛け部６ｂの全長は本体６ａの全長よりも長く、そのため掛け部６ｂのもう一方の湾曲部分６ｇは、本体６ａの湾曲部分６ｈを覆うように近接している。前記湾曲部分６ｇには取っ手６ｄが接続されており、取っ手６ｄを本体６ａと反対方向に引き離すことで、前記湾曲部分６ｈと６ｇの間に隙間ができ、ベルトを挟むことが出来る。
【００２０】
バンド掛６に挟んだベルトは、前記突起６ｃ、６ｃ、６ｃと、掛け部６ｂの圧力によりしっかりと固定され、バンド掛６がベルトから勝手に外れることがない。また、突起６ｃ、６ｃ、６ｃを複数設けたことにより、様々な幅のベルトに対応することが出来る。尚、本体６ａには、複数箇所にネジ孔６ｅ、６ｅ、６ｅ、６ｅが穿設されている。
【００２１】
前記背当板７は、略長方形状で一端が湾曲している背当本体７ａからなる。背当本体７ａの中央部分には突出部７ｂ、７ｂが設けられている。この突出部７ｂ、７ｂは、前記バンド掛６とは反対方向、即ちカバー部方向へ突出している。
【００２２】
背当本体７ａには複数箇所にネジ孔７ｄ、７ｄ、７ｄ、７ｄが穿設されており、このネジ孔７ｄは前記バンド掛６のネジ孔６ｅに対応した場所に穿設される。また、背当本体７ａの湾曲した側の先端中央には別のネジ孔７ｃが穿設されている。
【００２３】
カバー部８は、Ｕ字型のカバー本体８ａからなり、図５に示すようにカバー本体８ａの内面は段差８ｂが設けられており、一段低くなっている。本体８ａ内側のＵ字型に湾曲している部分には制御突起８ｅが設けられており、後に図示する係止部５の溝５ｅに設けた凹部５ｇに引っ掛けて係止部５の回転を制御する部材である。
【００２４】
また、カバー本体８ａのＵ字型に湾曲している部分で、且つ、段差８ｂの上部にはネジ孔８ｄが設けられており、このネジ孔８ｄは前記背当板７のネジ孔７ｃに対応している。更にカバー本体８ａには複数箇所にネジ孔８ｆ、８ｆ、８ｆ、８ｆが穿設されており、このネジ孔８ｆは前記ネジ孔６ｅ及び７ｄに対応した場所に穿設されている。
【００２５】
前記ネジ孔７ｃと８ｄの位置を合わせてネジ９ａで留め、次にネジ孔６ｅ、７ｄ、８ｆの位置を合わせてネジ９で留めて一体化し、着脱式ホルダー部３とした状態が、図４に示している図である。図４に示すように、前記背当板７とカバー部８を合わせた部分には、段差のある空間８ｃができる。
【００２６】
図６は本発明である着脱容易なメジャーのメジャー部と着脱式ホルダー部を分離した状態を示した斜視図、図７及び図８は本発明である着脱容易なメジャーのメジャー部と着脱式ホルダー部の連結状態を示した図である。
【００２７】
図６及び図７に示すように、着脱式ホルダー部３の段差のある空間８ｃに、前記メジャー部２の係止軸５ａをスライドさせて差し込むことにより、係止部５の係止溝５ｂ、５ｃに背当板７の突出部７ｂ、７ｂが嵌合される。このような前記係止溝５ｂ、５ｃと突出部７ｂ、７ｂとの嵌合状態により、係止部５は空間８ｃ内で上下に動くことができなくなる。即ち、逆さになっても自然と外れてしまうことがない。
【００２８】
また前述のような嵌合状態では、係止部５の凹部５ｇがカバー部８の制御突起８ｅにも勘合されており、係止部５が空間８ｃ内で勝手に回転することができなくなる。このような２つの嵌合状態により、メジャー部２は着脱式ホルダー部３にしっかりと係止されて勝手に外れることはない。
【００２９】
前記段差８ｂにより空間８ｃには２つの空間幅ができ、大きい方の幅は前記係止軸５ａと同じ幅であり、狭い方の幅は係止軸５ａよりも狭く、溝５ｅと同じ幅である。そのため、空間８ｃにスライドして差し込まれた係止軸５ａは空間８ｃの段差に引っ掛かり横へ外れてしまうことがない。
【００３０】
図７に示すように、カバー本体８ａのＵ字型に湾曲した部分の内側には制御突起８ｅが設けられており、この制御突起の８ｅの下には空間８ｇを設けてあり、制御突起８ｅに力が加わった場合に制御突起８ｅが下方に逃げることができる。
【００３１】
前記制御突起８ｅは、溝５ｅに設けられた凹部５ｇに引っ掛かることで、前述のようにメジャー部２自体が勝手に回転することを制御している。前記凹部５ｇは、切り込み角度が大きい方向と小さい方向があり、図７に示すように、切り込み角度が大きい方は制御突起８ｅの先端が正面から当たるようになっている。
【００３２】
また、切り込み角度が小さい方は、制御突起８ｅの斜面が当たるようになっている。そのため、メジャー部２を矢印Ｂ方向に回転させようとしても、凹部５ｇの切り込み角度が多い方が制御突起８ｅに正面から当たっているため回転出来ない。
【００３３】
一方、図８に示したように、メジャー部２を矢印Ａ方向に回転させる場合、凹部５ｇの切り込み角度が小さい方が、制御突起８ｅの斜面を下方に押しながら回転し、更にメジャー部２の回転により咬み合っていた係止溝５ｂ、５ｃが徐々に背当板７の突出部７ｂ、７ｂを押し係止状態を外すことができる。
【００３４】
この矢印Ａ方向の回転により、全ての嵌合状態が外れ、メジャー部２は上方にスライドさせて着脱式ホルダー部３から取り外すことが出来る。この矢印Ａ方向にメジャー部２を回転させる力は、手首の僅かな力で足りる。尚、符号１０はベルトを示している。
【００３５】
本発明の着脱式ホルダー部を有するメジャーは、特にメジャーに対してのみ利用することを目的としたものではなく、地震などの災害時における落下防止措置を必要とするものや、頻繁に着脱を要するものに転用することができる。
【図面の簡単な説明】
【００３６】
【図１】本発明である着脱式ホルダー部を有するメジャーの斜視図である。
【図２】本発明である着脱式ホルダー部を有するメジャーの右側面図である。
【図３】本発明である着脱式ホルダー部を有するメジャーのメジャー部の正面図である。
【図４】本発明である着脱式ホルダー部を有するメジャーのホルダー部の斜視図である。
【図５】本発明である着脱式ホルダー部を有するメジャーのホルダー部の分解斜視図である。
【図６】本発明である着脱式ホルダー部を有するメジャーのメジャー部とホルダー部を分離した状態を示した斜視図である。
【図７】本発明である着脱式ホルダー部を有するメジャーのメジャー部とホルダー部の連結状態を示した図である。
【図８】本発明である着脱式ホルダー部を有するメジャーのホルダー部とメジャー部の連結状態を示した図である。
【符号の説明】
【００３７】
１      着脱式ホルダー部を有するメジャー
２      メジャー部
３      ホルダー部
４      メジャー
４ａ    本体
４ｂ    巻き取りスイッチ
４ｃ    引出摘み
４ｄ    引出口
４ｅ    紐
５      係止部
５ａ    係止軸
５ｂ    係止溝
５ｃ    係止溝
５ｄ    ネジ
５ｅ    溝
５ｆ    連結軸
５ｇ    凹部
６      バンド掛
６ａ    本体
６ｂ    掛け部
６ｃ    突起
６ｄ    取っ手
６ｅ    ネジ孔
６ｆ    湾曲部分
６ｇ    湾曲部分
６ｈ    湾曲部分
７      背当板
７ａ    背当本体
７ｂ    突出部
７ｃ    ネジ孔
７ｄ    ネジ孔
８      カバー部
８ａ    カバー本体
８ｂ    段差
８ｃ    空間
８ｄ    ネジ孔
８ｅ    制御突起
８ｆ    ネジ孔
８ｇ    空間
９      ネジ
９ａ    ネジ
１０      ベルト
【図１】
2006162449.tif 000003
【図２】
2006162449.tif 000004
【図３】
2006162449.tif 000005
【図４】
2006162449.tif 000006
【図５】
2006162449.tif 000007
【図６】
2006162449.tif 000008
【図７】
2006162449.tif 000009
【図８】
2006162449.tif 000010